(57)【特許請求の範囲】
【請求項１】
複数のユニット化された家具構成品と、これらの家具構成品を結合する結合部材とから成り、前記各家具構成品は各々の外壁の所定位置に円形の凹部を有し、前記結合部材は円柱外周囲に円弧状の複数の凹み部を有した形状であって、結合すべき二つの家具構成品の外壁に対応して設けられた前記円形の凹部にそれぞれ嵌合して該二つの家具構成品を隙間なく結合することを特徴とするユニット式組立て家具。
【発明の詳細な説明】
【０００１】
【発明の属する技術分野】
本発明は、種々のユニットパーツの組立て（接合）形状が可能で、分解可能なユニット式組立て家具に関するものである。
【０００２】
【従来の技術】
テーブルやデスク、本箱などの室内用の家具は、通常、完成品として売買されており、そのまま店舗などから家庭やオフィスに搬送されるようになっている。また一部の家具には、分解して搬送し、家庭などで組立てる方式のものもあり、ネジやビスなどの組立て部品が付いていて、これをドライバー等により取付けて所望の家具を完成させるようになっている。
【０００３】
また、使用するネジの数を少なくして組立てられるようにした組立て式家具も提案されており（例えば、特許文献１、２参照。）、簡単に分解できて携帯用に便利な組立て式家具も提案されている（例えば、特許文献３参照）。
【０００４】
更に、収納スペースを自由に設定できる多用途向きの組立て式家具も実用化され（例えば、特許文献４参照）、組立て及び分解が容易であると同時に汎用性を備えた組立て式家具も実用化されている（例えば、特許文献５参照）。
【０００５】
【特許文献１】
特開２００２−３６１号公報
【特許文献２】
特開２００２−１０８３９号公報
【特許文献３】
特開平６−３１１９１８号公報
【特許文献４】
登録実用新案第３０５５０９５号公報
【特許文献５】
登録実用新案第３０４０９４７号公報
【０００６】
【発明が解決しようとする課題】
ところで、上記のような従来の家具にあっては、初めから決まった寸法、形状であり、外観の形状を変えるのは難しく、また、分解可能で収納スペースを変えられるようにしたものもあるが、用途が限られている場合が多く、分解及び組立ても工具や説明書、スペースが必要で、面倒であるという問題点があった。
【０００７】
本発明は、上記のような問題点に鑑みてなされたもので、分解及び組立てが容易で、設置場所の移動も簡単になり、また種々の用途に対応することができるとともに、バリエーションを増やすことができ、利便性の高いユニット式組立て家具を提供することを目的としている。
【０００８】
【課題を解決するための手段】
本発明に係るユニット式組立て家具は、次のような構成によって、上記の目的を達成しようとするものである。
【０００９】
（１）複数のユニット化された家具構成品と、これらの家具構成品を結合する結合部材とから成り、前記各家具構成品は各々の外壁の所定位置に円形の凹部を有し、前記結合部材は円柱外周囲に円弧状の複数の凹み部を有した形状であって、結合すべき二つの家具構成品の外壁に対応して設けられた前記円形の凹部にそれぞれ嵌合して該二つの家具構成品を隙間なく結合するようにした。
【００１１】
【発明の実施の形態】
以下、本発明の実施例を図面について説明する。
【００１２】
図１は本発明の実施例によるユニット式組立て家具の構成を示す断面図であり、例えば本箱や収納ボックスとして構成した場合を示している。
【００１３】
このユニット式組立て家具は、複数のユニット化されたユニットパーツ（家具構成品）１、２、３と、これらのユニットパーツ１、２、３を結合するジョイントパーツ（結合部材）４とから成り、各ユニットパーツ１、２、３は各々の外壁の所定位置に円形の凹部１ａ、２ａ、３ａを有し、ジョイントパーツ４は結合すべき二つのユニットパーツの外壁に対応して設けられた上記円形の凹部１ａ、２ａ、３ａにそれぞれ嵌合して該二つのユニットパーツを隙間なく結合している。
【００１４】
図２は上記ジョイントパーツ４の形状を示す図であり、（ａ）は平面図、（ｂ）、（ｃ）は側面図である。
【００１５】
このジョイントパーツ４は、円柱の外周囲に円弧状の複数の凹み部４ａを有した形状となっており、ここでは三つの凹み部４ａを設けた例を示している。
【００１６】
上記のような構成のユニット式組立て家具は、各ユニットパーツ１、２、３の外壁に形成された凹部１ａ、２ａ、３ａにジョイントパーツ４を差し込むことにより、隣り合う二つのユニットパーツを結合することができる。
【００１７】
また、移動等のために分解するときは、二つのユニットパーツを引き離せば良い。このとき、どちらかのユニットパーツの凹部に差し込まれているジョイントパーツ４はそのままでも良く、引き抜いても構わない。
【００１８】
従来の連結式のユニット家具では、ネジやボルトで繋いでいるので必ず工具が必要となり、何かと組立てや分解が不便であったが、本実施例では、組立て時及び分解時共に、ドライバーやレンチなどの工具（道具）は必要なく、スペースや説明書も不要であり、作業は極めて簡単となる。
【００１９】
また、ジョイントパーツ４の形状は円形（丸型）で、周囲に円弧状の凹み部４ａを有しており、このジョイントパーツ４を嵌合するユニットパーツ１、２、３の外壁の凹部１ａ、２ａ、３ａも円形となっている。このため、ジョイントパーツ４の凹み部４ａに手指をかけて回転させることで、簡単にジョイントパーツ４の装着及び取り外しができ、また位置合わせも不要である。
【００２０】
本実施例では、上記ジョイントパーツ４の凹み部４ａを円弧状として三つ設けているので、製作加工が容易で、しかも取り扱い易い（回転し易い）ものとなっている。すなわち、３本の指を三つの凹み部４ａに当てて工具なしで回転させて取り外し及び取付けを行うことができ、回し易いとともに、空気が入るので抜き易い。しかし、場合によっては凹み部４ａを二つあるいは四つ設けても良く、それ以上であっても構わない。また、形状も他の溝型などの形状であっても良い。
【００２１】
このように、本実施例では、工具や説明書及びスペースが不要で、分解及び組立てが容易となり、ユニットパーツをばらすことによって設置場所の移動も簡単になり、また種々の用途に対応することができるとともに、バリエーションを増やすことができ、利便性の高いユニット式組立て家具を実現することができる。
【００２２】
図３は本発明の他の実施例を示す斜視図である。同図の（ａ）、（ｂ）、（ｃ）、（ｄ）に示すように、設置場所などに応じて様々な形状の製品とすることができる。
【００２３】
すなわち、様々なユニットパーツを組み合わせることによって、部屋のスペースや使用用途に合わせて色々な形に変更可能であり、また様々なユニットパーツを選定でき、色々なパーツを組み合わせることで、自分だけのオリジナル家具となる。
【００２４】
また、カラーバリエーションがあるため、設置場所のイメージに合わせて自分なりのコーディネートが可能であり、オプションパーツを追加することによって収納のバリエーションが増え、更にユニットパーツのバリエーションを増やすことによって、商品としてのアイテム数が増える。
【００２５】
なお、この他にもテーブル、ワークディスク、チェスト（洋服掛け）、テレビ台、キャビネット（飾り棚）、サイドボード（食器棚）、ブックシェルフ（本棚）、ベンチ（椅子）、あるいはＣＤ、ＤＶＤ、ＶＩＤＥＯのラックなど、広い用途に対応することができる。
【００２６】
なお、上述の各ユニットパーツは、それ自体（単体）でも家具として使用できるものであるが、付属品などを用いることもできる。
【００２７】
【発明の効果】
以上説明したように、本発明によれば、分解及び組立てが容易で、設置場所の移動も簡単になり、また種々の用途に対応することができるとともに、バリエーションを増やすことができ、利便性が高いという効果がある。
【図面の簡単な説明】
【図１】本発明の実施例によるユニット式組立て家具の構成を示す断面図
【図２】実施例のジョイントパーツの形状を示す図
【図３】他の実施例の形状を示す斜視図
【符号の説明】
１    ユニットパーツ（家具構成品）
１ａ  凹部
２    ユニットパーツ（家具構成品）
２ａ  凹部
３    ユニットパーツ（家具構成品）
３ａ  凹部
４    ジョイントパーツ（結合部材）
４ａ  凹み部
【要約】【課題】分解及び組立て（接合）が容易で、設置場所の移動も簡単になり、また種々の用途に対応することができるとともに、バリエーションを増やすことができ、利便性の高いユニット式組立て家具を得る。
【解決手段】複数のユニットパーツ（家具構成品）１、２、３と、これらのユニットパーツ１、２、３を互いに結合するジョイントパーツ（結合部材）４とで家具を構成し、各家ユニットパーツ１、２、３の各々の外壁の所定位置に円形の凹部１ａ、２ａ、３ａを設け、ジョイントパーツ４をその円形の凹部１ａ、２ａ、３ａに嵌合して二つのユニットパーツを隙間なく結合する。また、ジョイントパーツ４は、円柱の外周囲に円弧状の複数の凹み部を有した形状とする。
【選択図】        図１【図１】
0003566714.tif 000002
【図２】
0003566714.tif 000003
【図３】
0003566714.tif 000004